(57)【要約】【課題】装着時に使用者の体と吸収層との間に空間を形成できると共に、幅方向の漏れ防止効果が高い吸収性物品を提供すること。【解決手段】液保持性の吸収体４を含む吸収層６及び吸収層６の非肌当接面側に配置された防漏層３を有する吸収性本体１０と、吸収層６の肌当接面側に配置された上面シート５とを備えた吸収性物品１であって、上面シート５は、液透過性で且つ幅方向に非伸長性のシートからなり、吸収体４の両側部よりも幅方向外方にそれぞれ位置する一対の接合部Ｓ，Ｓで吸収性本体１０の肌当接面側に接合されており、一対の接合部Ｓ，Ｓ間の上面シート５の幅は、一対の接合部Ｓ，Ｓ間の吸収性本体１０の幅よりも短くなっている。【選択図】図３
2007105127.tif 000002
【特許請求の範囲】
【請求項１】
液保持性の吸収体を含む吸収層及び吸収層の非肌当接面側に配置された防漏層を有する吸収性本体と、吸収層の肌当接面側に配置された上面シートとを備えた吸収性物品であって、
上面シートは、液透過性で且つ幅方向に非伸長性のシートからなり、吸収体の両側部よりも幅方向外方にそれぞれ位置する一対の接合部で吸収性本体の肌当接面側に接合されており、
一対の接合部間の上面シートの幅は、一対の接合部間の吸収性本体の幅よりも短くなっている吸収性物品。
【請求項２】
前記上面シートは、疎水性である請求項１記載の吸収性物品。
【請求項３】
前記上面シートは、網状シートからなる請求項１又は２に記載の吸収性物品。
【請求項４】
前記上面シートは、その長手方向前後部においては、吸収性本体の肌当接面側に接合されていない請求項１〜３の何れかに記載の吸収性物品。
【請求項５】
前記吸収層は、前記吸収体と、吸収体の肌当接面側を被覆するように配置された液透過性の表面シートとからなり、前記防漏層は、液不透過性又は液難透過性で且つ通気性の裏面シートからなり、
吸収体の長手方向前部及び／又は後部は、それぞれ前記吸収性本体の長手方向前部及び／又は後部から長手方向中央部に向けて後退しており、
吸収性本体の長手方向前部と吸収体の長手方向前部との間の領域及び／又は吸収性本体の長手方向後部と吸収体の長手方向後部との間の領域には、疎水性部材を配置した通気部が設けられている請求項１〜４の何れかに記載の吸収性物品。
【請求項６】
前記疎水性部材は、不織布から形成されている請求項５記載の吸収性物品。
【請求項７】
前記防漏層は、前記裏面シートとその外側に貼り付けられた不織布とからなる請求項５又は６に記載の吸収性物品。
【発明の詳細な説明】
【技術分野】
【０００１】
本発明は、使い捨ておむつ、生理用ナプキン等の吸収性物品に関する。
【背景技術】
【０００２】
使い捨ておむつ等の吸収性物品においては、装着時に使用者の体と吸収層（通常、表面シート及び吸収体の積層体から形成されている）とが密着すると湿気が外部に放出され難くなり、ムレ易い。
【０００３】
特許文献１〜３に記載の吸収性物品は、吸収層の肌当接面側に、装着時に吸収層から離間する上面シートを具備している。そのため、装着時に上面シートにより使用者の体を吸収層から離間させ、使用者の体と吸収層との間に空間を形成することができるため、この空間を通じて湿気が外部に放出され易く、ムレを低減させている。
【０００４】
【特許文献１】特開平２−２９７３６４号公報
【特許文献２】特開２００２−１４３２１７号公報
【特許文献３】特開平１１−２５３４９０号公報
【発明の開示】
【発明が解決しようとする課題】
【０００５】
しかし、特許文献１，２に記載の吸収性物品においては、上面シートは、その長手方向前後部が吸収層に接合されているが、その幅方向両側部が吸収層に接合されていない。そのため、装着時に、吸収層は、長手方向に沿って湾曲するが、幅方向にはほとんど湾曲しない。従って、特許文献１，２に記載の吸収性物品によれば、排泄物、体液等は、幅方向から漏れ易く、漏れ防止効果が十分ではない。
【０００６】
また、特許文献３記載の吸収性物品においては、上面シートは、その幅方向両側部が吸収層に接合されているが、長手方向に延びる多数の小スリットを有している。そのため、上面シートが幅方向に伸長し、上面シートと吸収層とが接触してこれらの間の空間がなくなり易い。
【０００７】
従って、本発明の目的は、装着時に使用者の体と吸収層との間に空間を形成できると共に、幅方向の漏れ防止効果が高い吸収性物品を提供することにある。
【課題を解決するための手段】
【０００８】
本発明は、液保持性の吸収体を含む吸収層及び吸収層の非肌当接面側に配置された防漏層を有する吸収性本体と、吸収層の肌当接面側に配置された上面シートとを備えた吸収性物品であって、上面シートは、液透過性で且つ幅方向に非伸長性のシートからなり、吸収体の両側部よりも幅方向外方にそれぞれ位置する一対の接合部で吸収性本体の肌当接面側に接合されており、一対の接合部間の上面シートの幅は、一対の接合部間の吸収性本体の幅よりも短くなっている吸収性物品を提供することにより前記目的を達成したものである。
【発明の効果】
【０００９】
本発明の吸収性物品によれば、装着時に使用者の体と吸収層との間に空間を形成できると共に、幅方向の漏れ防止効果が高い。
【発明を実施するための最良の形態】
【００１０】
以下、本発明の吸収性物品を、その一実施形態である使い捨ておむつに基づき図面を参照しながら説明する。
本実施形態の使い捨ておむつ１は、図１〜図３に示すように、実質的に縦長に形成されている展開型のもので、液保持性の吸収体４を含む吸収層６及び吸収層６の非肌当接面側に配置された防漏層３を有する吸収性本体１０と、吸収層６の肌当接面側に配置された上面シート５を備えている。
【００１１】
吸収層６は、吸収体４と、吸収体４の肌当接面側を被覆するように配置された液透過性の表面シート２とからなる。
吸収性本体１０の肌当接面側には、吸収体４の両側部それぞれに沿って立設するサイドギャザー１３Ｂが設けられている。
【００１２】
表面シート２としては、吸収性物品において従来用いられている液透過性のシートを特に制限なく用いることができる。例えば、親水化処理が施された各種不織布や開孔フィルムを用いることができる。
吸収体４としては、吸収性物品において従来用いられている液保持性の材料を特に制限なく用いることができる。例えば、パルプ繊維を堆積させて得られた積繊層、パルプ繊維を原料とする不織布からなるものを用いることができ、高吸収性ポリマーを含有していることが好ましい。
【００１３】
防漏層３としては、例えば、吸収性物品において従来用いられている液不透過性又は液難透過性の裏面シート３１（熱可塑性樹脂のフィルム等）の単層シート、裏面シート３１と不織布３２とのラミネートシートを用いることができる。裏面シート３１は、部分的に削除されて、通気性を有していることが好ましい（詳細は後述）。また、部分的に削除された裏面シート３１をからなる防漏層３においては、外観を考慮して、その外側（非肌当接面側）における全域又は一部の領域に（外層）不織布３２が貼り付けられていることが好ましい。
本実施形態においては、図５に示すように、防漏層３は、多数の開孔３１Ａが設けられた裏面シート３１と、その外側全域に貼り付けられた外層不織布３２とからなる。
【００１４】
尚、本発明において、吸収性本体１０は、吸収層６及び防漏層３を主体とする部材の集合体を意味し、形態によっては、サイドギャザー形成用シート１３（後述）等の部材も含む。また、特に明記のない限り、「長手方向」及び「幅方向」というときは、それぞれ「吸収性物品の長手方向」及び「吸収性物品の幅方向」を意味する。
【００１５】
本実施形態の使い捨ておむつ１（吸収性本体１０）は、図２に示すように、長手方向中央部に股下部Ｃを有し、股下部Ｃから長手方向に背側及び腹側それぞれに延びる背側部Ａ及び腹側部Ｂを有している。吸収性本体１０は、股下部Ｃの両側縁が幅方向内向きの円弧状に湾曲しており、全体として長手方向中央部が内方に括れた砂時計形状となっている。
【００１６】
表面シート２は、吸収体４よりも外形寸法の大きい略矩形状の平面視形状を有しており、裏面シート３１の幅方向中央部に配されている。裏面シート３１は、おむつの外形形状に一致する砂時計状の外形を有している。表面シート２及び裏面シート３１は、それぞれ吸収体４の幅方向両側部及び長手方向前後部から外方に延出しており、それらの延出部において直接的に又は他の部材を介在させて互いに接合されている。
【００１７】
吸収性本体１０の両側部には、それぞれサイドギャザー形成用シート１３，１３が、裏面シート３１の両側部から表面シート２の両側部を覆う位置まで配されている。そのため、裏面シート３１の肌当接面側における表面シート２が配されていない領域は、サイドギャザー形成用シート１３により被覆されている。従って、吸収性本体１０の肌当接面側は、表面シート２及びサイドギャザー形成用シート１３から形成されている。
【００１８】
サイドギャザー形成用シート１３の幅方向内側部は、平面視で吸収体４の両側部よりもそれぞれ幅方向外方の位置から立設し、自由端を形成している。この自由端には、サイドギャザー形成用弾性部材１３Ａが長手方向に沿って伸長状態で挟持固定されて複数本（例えば３本）配されており、これによってサイドギャザー１３Ｂが形成されている。
【００１９】
尚、表面シート２を裏面シート３１と同じ形状として、表面シート２のみで吸収体４及び吸収体４の両側部よりも幅方向外側の裏面シート３１の肌当接面側を被覆し、その代わりに、サイドギャザー形成用シート１３が裏面シート３１の肌当接面側を被覆しない（換言すると、サイドギャザー形成用シート１３がサイドギャザー１３Ｂを形成する目的のみで設けられる）構成とすることもできる。また、図１〜図３に示す形態において、表面シート２をサイドギャザー形成用シート１３と裏面シート３１との間にまで延出させることもできる。
【００２０】
背側部Ａの両側部には、それぞれ幅方向外方に延出するサイドフラップ１１，１１が形成されている。各サイドフラップ１１には、ファスニングテープ１２が幅方向外方に延出して取り付けられている。ファスニングテープ１２には、メカニカルファスナーのフック部材（図示せず）が取り付けられている。このフック部材としては吸収性物品において公知のものを特に制限なく用いることができる。
【００２１】
腹側部Ｂの両側部にも、それぞれ幅方向外方に延出するサイドフラップ１１，１１が形成されている。腹側部Ｂにおける防漏層３の非肌当接面には、ファスニングテープ１２を止着自在なランディングテープ１５（図１参照）が設けられている。
【００２２】
吸収性本体１０の両側部には、それぞれ複数本（例えば２本）のレッグ弾性部材１４が略直線状に配されている。レッグ弾性部材１４は、サイドギャザー形成用弾性部材１３Ａよりも幅方向外方において、サイドギャザー形成用シート１３と裏面シート３１との間に伸長状態で挟持固定されており、これによってレッグギャザーが形成されている。
サイドギャザー形成用弾性部材１３Ａ及びレッグ弾性部材１４は、何れも、糸状の形態を有し、吸収性本体１０の長手方向に沿って配設されており、また、背側部Ａと腹側部Ｂとの間に亘って配設されている。
【００２３】
背側部Ａ及び腹側部Ｂにおけるウエスト部Ｄ，Ｄには、それぞれウエスト弾性部材８１，８１が配設されている。ウエスト弾性部材８１は、帯状の形態を有し、吸収性本体１０の幅方向に沿って略全幅に亘って配されている。ウエスト弾性部材８１は、表面シート２又はサイドギャザー形成用シート１３と裏面シート３１との間に伸長状態で挟持固定されており、これによってウエストギャザーが形成されている。
【００２４】
背側部Ａにおける胴回り部Ｅの両側部には、それぞれ複数本（例えば６本）の胴回りギャザー形成用弾性部材８２が配設されている。胴回りギャザー形成用弾性部材８２は、サイドギャザー形成用弾性部材１３Ａよりも幅方向外方において、幅方向に沿って略直線状に配されている。胴回りギャザー形成用弾性部材８２は、サイドギャザー形成用シート１３又は表面シート２と裏面シート３１との間に、直接的に又は他のシートを介在させて伸長状態で挟持されており、これによって左右一対の胴回りギャザーが形成されている。
【００２５】
尚、背側部Ａにおける胴回り部Ｅは、吸収性本体１０を、図２に示すように、その各部の弾性部材を伸張させて平面状に拡げた状態（緊張状態）とし、背側部Ａ側を上側、腹側部Ｂ側を下側と考えた場合に、ウエスト弾性部材８１が配された部位よりも下方に位置し且つ股下部Ｃより上方に位置する部分である。
【００２６】
次に、上面シート５について説明する。上面シート５は、液透過性で且つ幅方向に非伸長性のシートからなる。液透過性及び非伸長性を兼ね備えたシートとしては、例えば、網状シート、開孔フィルムが挙げられる。ここでいう「非伸長性」とは、５０ｍｍ幅のシートに１０Ｎの引っ張り荷重を加えたときの伸度が２％以下であることをいう。
【００２７】
上面シート５は、吸収性本体１０に接合された状態において、幅方向に非伸長性であればよい。従って、あらゆる方向について非伸長性である必要はなく、少なくとも幅方向に非伸長性であればよい。本実施形態においては、格子状の網目を有し、網目を吸収性本体１０の長手方向及び幅方向に配列させた網状シートを用いており、そのため幅方向及び長手方向に非伸長性となっている。
【００２８】
上面シート５は、疎水性又は親水性の何れでもよいが、装着時に使用者の体に接触した際のベタつき感を防止する点から、疎水性であることが好ましい。
【００２９】
上面シート５は、吸収体４の両側部よりも幅方向外方にそれぞれ位置する一対の接合部Ｓ，Ｓで吸収性本体１０の肌当接面側に接合されている。接合部Ｓ，Ｓは互いに幅方向に離間している。本実施形態における接合部Ｓは、サイドギャザー１３Ｂの基端部（表面シート２からサイドギャザー形成用シート１３が起立し始める部分）近傍における表面シート２及び／又はサイドギャザー形成用シート１３に位置している。
【００３０】
一対の接合部Ｓ，Ｓ間の上面シート５の幅は、一対の接合部間の吸収性本体１０の幅よりも短くなっている。つまり、離間した一対の接合部Ｓ，Ｓは、上面シート５に沿った幅方向間隔Ｗ１が吸収性本体１０の肌当接面に沿った幅方向間隔Ｗ２よりも短くなっている。吸収性本体１０の肌当接面に沿った幅方向間隔Ｗ２と上面シート５に沿った幅方向間隔Ｗ１との差（Ｗ２−Ｗ１）は、適宜設定されるが、好ましくは２０〜９０ｍｍ、更に好ましくは４０〜７０ｍｍである。
さらにベビー用おむつとしては、前記幅方向間隔Ｗ２を幅方向間隔Ｗ１で除した商（Ｗ２／Ｗ１）の値は１．２〜４である事が好ましく、１．５〜３である事がさらに好ましい。
【００３１】
離間した一対の接合部Ｓ，Ｓ間における上面シート５に沿った幅方向間隔Ｗ１及び吸収性本体１０の肌当接面に沿った幅方向間隔Ｗ２は、以下の方法で測定される。
本発明においては、離間した一対の接合部Ｓ，Ｓ間における上面シート５の幅が吸収性本体１０の幅よりも短くなっているため、つまり、上面シート５に沿った幅方向間隔Ｗ１が吸収性本体１０の肌当接面に沿った幅方向間隔Ｗ２よりも短くなっているため、自然状態において、吸収層６は、上面シート５側が凹んで幅方向に湾曲し、上面シート５は、吸収層６の剛性によって張設された状態になる。
【００３２】
この状態では、上面シート５は面方向に直線状になっているため、離間した一対の接合部Ｓ，Ｓ間の最短距離が幅方向間隔Ｗ１となる。一方、吸収層６は幅方向に湾曲しているため、吸収性本体１０の肌当接面（本実施形態では表面シート２の肌当接面。表面シートがない形態では通常、吸収体の肌当接面）の湾曲形状に沿って測定した間隔（最短距離ではない）を幅方向間隔Ｗ２とする。
【００３３】
接合部Ｓは、長手方向には、吸収性本体１０の長手方向全長の３０％以上に亘っていることが好ましい。また、接合部Ｓは、長手方向に連続的でもよく、非連続的でもよい。また、接合部Ｓは長手方向に沿って、直線形状でもよく、曲線形状でもよい。一対の接合部Ｓ，Ｓは平行でも、平行でなくてもよい。接合部Ｓ，Ｓが曲線形状や平行でない場合、前記幅方向間隔Ｗ１，Ｗ２は、最短間隔で判断する。
上面シート５の肌当接面側に位置するサイドギャザー形成用シート１３は、その長手方向前後部において上面シート５側に倒れ、上面シート５の肌当接面に接合されている。上面シート５の非肌当接面の長手方向前後部は、表面シート２とは接合されていない。
【００３４】
次に、通気部７について説明する。図４及び図５に示すように、吸収体４の長手方向前部４Ａ及び後部４Ｂは、それぞれ吸収性本体１０の長手方向前部１０Ａ及び後部１０Ｂから長手方向中央部に向けて後退している。吸収性本体１０の長手方向前部１０Ａと吸収体４の長手方向前部４Ａとの間の領域及び吸収性本体１０の長手方向後部１０Ｂと吸収体４の長手方向後部４Ｂとの間の領域には、それぞれ通気部７，７が設けられている。本実施形態においては、通気部７は、平面視で、腹側部Ｂのウエスト弾性部材８１と吸収体４の長手方向前部４Ａとの間の領域及び背側部Ａのウエスト弾性部材８１と吸収体４の長手方向後部４Ｂとの間の領域に設けられている。
【００３５】
通気部７は、疎水性部材７１が配置されて構成されている。詳細には、通気部７は、疎水性部材７１が表面シート２と裏面シート３１との間において裏面シート３１に接合されて構成されている。そして、通気部７において、裏面シート３１は、その全域あるいは一部の領域が部分的に削除されており、そのため、通気性を有している。裏面シート３１の部分的な削除は、切り抜き、開口、開孔等によって行われる。通気部７においては、防漏層３が使用者の体に向けて押圧されていない状態において、上面シート５及び表面シート２と疎水性部材７１との間が離間していることが好ましい。
【００３６】
疎水性部材７１の幅（吸収性本体１０の幅方向の幅）は、吸収体４の幅の０．３〜１．１倍であることが好ましい。疎水性部材７１の長さ（吸収性本体１０の長手方向の長さ）は、５〜３０ｍｍであることが好ましい。疎水性部材７１の幅と長さは、それぞれ通気部７の幅と長さより大きい事が好ましい。疎水性部材７１の厚みは、５ｍｍ以下であることが好ましい。
【００３７】
疎水性部材７１は、疎水性であれば特に制限されないが、開孔フィルムや不織布等から形成されていることが好ましく、特に不織布が望ましい。疎水性部材７１は、裏面シート３１よりも疎水性が高いことが好ましい。少なくとも疎水性部材７１が配置された領域の裏面シート３１は、部分的に削除されている。
【００３８】
前述した構成を有する本実施形態の使い捨ておむつ１によれば、上面シート５は、液透過性で且つ幅方向に非伸長性のシートからなり、吸収体４の両側部よりも幅方向外方にそれぞれ位置する一対の接合部Ｓ，Ｓで吸収性本体１０の肌当接面側に接合されており、一対の接合部Ｓ，Ｓ間の上面シート５の幅は、一対の接合部Ｓ，Ｓ間の吸収性本体１０の幅よりも短くなっている。
【００３９】
そのため、装着時に吸収層６の剛性により上面シート５が幅方向に張設され、上面シート５により使用者の体を吸収層６から離間させることができる。この効果は、使用者が寝ている状態や立っている状態で吸収層６が使用者の体に向けて押圧されていないときに生じ易く、特に使い捨ておむつ１を上方に引っ張り上げたときに顕著となる。
その結果、使用者の体と吸収層６との間に空間が形成され、この空間を通じて湿気が外部に排出され易く、ムレを低減させることができる。
【００４０】
また、装着時に吸収層６は上面シート５側が凹んだ形態で幅方向に湾曲するため、吸収体４の両側部で防漏壁が形成される。そのため、尿、便等の排泄物や体液が吸収体４に吸収される前に幅方向に広がったとしても、吸収体４の両側部からなる防漏壁により漏れが防止される。
【００４１】
また、吸収性本体１０の長手方向前部１０Ａと吸収体４の長手方向前部４Ａとの間の領域及び吸収性本体１０の長手方向後部１０Ｂと吸収体４の長手方向後部４Ｂとの間の領域に、通気部７が形成されているため、かかる領域において排泄物や体液が流入せず、厚み方向の通気性が阻害されない。
【００４２】
本発明の吸収性物品は、前述した実施形態に制限されることなく、本発明の趣旨を逸脱しない限り適宜変更が可能である。
吸収層６は、前記実施形態においては、吸収体４及び表面シート２から形成されているが、本発明においては、吸収体４のみから形成することができる。この形態は、別の見方をすると、上面シート５が表面シートから形成されているとみることもできる。
【００４３】
上面シート５は、その長手方向前後部において、吸収性本体１０の肌当接面側に接合されていてもよい。
裏面シート３１とその外側に貼り付けられた外層不織布３２とからなる防漏層３においては、外層不織布３２は、通気部７に対応する領域のみに設けることができる。
【００４４】
通気部７は、前記実施形態においては、吸収性本体１０の長手方向前部１０Ａと吸収体４の長手方向前部４Ａとの間の領域及び吸収性本体１０の長手方向後部１０Ｂと吸収体４の長手方向後部４Ｂとの間の領域の両方に設けられているが、本発明においては、何れか一方の領域のみに設けられていてもよい。また、通気部７は設けられていなくてもよい。
通気部７は、前記実施形態における通気部７の構成に制限されず、例えば、疎水性部材７１の上部に（上面シート５側に）、表面シートが設けられていない構成でもよい。
【００４５】
本発明は、展開型の使い捨ておむつに制限されず、パンツ型の使い捨ておむつに適用することができる。また、使い捨ておむつに制限されず、生理用ナプキン、パンティライナー（おりものシート）、失禁パッド等にも適用することができる。
【図面の簡単な説明】
【００４６】
【図１】図１は、本発明の吸収性物品の一実施形態としての使い捨ておむつを示す斜視図である。
【図２】図２は、図１に示す使い捨ておむつを引き伸ばした状態で示す平面図である。
【図３】図３は、図１に示す使い捨ておむつを長手方向中央部で幅方向に切断した模式的縦断面図である。
【図４】図４は、図２に示す使い捨ておむつにおける吸収性本体から表面シート等を仮想的に分離させた状態を示す平面図である。
【図５】図５は、図１に示す使い捨ておむつにおける吸収性本体の長手方向前部を幅方向中央部で長手方向に切断した模式的縦断面図である。
【符号の説明】
【００４７】
１  吸収性物品（使い捨ておむつ）
１０  吸収性本体
１０Ａ  長手方向前部
１０Ｂ  長手方向後部
２  表面シート
３  防漏層
３１  裏面シート
４  吸収体
４Ａ  長手方向前部
４Ｂ  長手方向後部
５  上面シート
６  吸収層
７  通気部
７１  疎水性部材
１３  サイドギャザー形成用シート
１３Ｂ  サイドギャザー
Ｓ  接合部
【図１】
2007105127.tif 000003
【図２】
2007105127.tif 000004
【図３】
2007105127.tif 000005
【図４】
2007105127.tif 000006
【図５】
2007105127.tif 000007